(57)【要約】【課題】操作性と拡張性を両立した顕微鏡の技術を提供する。【解決手段】顕微鏡１００は、試料からの光を集光する対物光学系Ｓ１を収容する第１の本体部である顕微鏡本体部１０と、顕微鏡本体部１０から出射した試料からの光を集光し試料の像を形成する観察光学系Ｓ２を収容する第２の本体部である顕微鏡本体部２０を備える。顕微鏡本体部１０は、試料からの光を対物光学系Ｓ１に含まれる対物レンズ３ａの光軸の方向とは異なる方向に出射するように構成されている。顕微鏡本体部２０は、顕微鏡本体部１０と顕微鏡本体部２０の間に光学ユニットを着脱自在に取り付けるように構成されている。【選択図】図１
2018005009.tif 000002
【特許請求の範囲】
【請求項１】
試料からの光を集光する対物光学系を収容する第１の本体部であって、前記試料からの光を前記対物光学系に含まれる対物レンズの光軸の方向とは異なる方向に出射する第１の本体部と、
前記第１の本体部から出射した前記試料からの光を集光し前記試料の像を形成する観察光学系を収容する第２の本体部であって、前記第１の本体部と前記第２の本体部の間に光学ユニットを着脱自在に取り付ける第２の本体部と、を備える
ことを特徴とする顕微鏡。
【請求項２】
請求項１に記載の顕微鏡において、さらに、
接眼鏡筒を備え、
前記顕微鏡で前記接眼鏡筒が存在する側を前側とすると、前記第２の本体部は、前記第１の本体部に対して後方又は側方に配置される
ことを特徴とする顕微鏡。
【請求項３】
請求項２に記載の顕微鏡において、さらに、
前記第１の本体部と前記第２の本体部の間に取り付けられた前記光学ユニットを備える
ことを特徴とする顕微鏡。
【請求項４】
請求項３に記載の顕微鏡において、
前記光学ユニットは、前記第１の本体部が置載された設置面に配置される
ことを特徴とする顕微鏡。
【請求項５】
請求項２乃至請求項４のいずれか１項に記載の顕微鏡において、
前記顕微鏡で前記接眼鏡筒が存在する側を前側とすると、前記光学ユニットは、前記第１の本体部に対して後方又は側方に配置される
ことを特徴とする顕微鏡。
【請求項６】
請求項１又は請求項２に記載の顕微鏡において、さらに、
前記第１の本体部と前記第２の本体部の間に取り付けられた複数の光学ユニットを備え、
前記複数の光学ユニットは、各光学ユニットに含まれる光路分岐部材の法線方向が、隣接する光学ユニットに含まれる光路分岐部材の法線方向と異なるように、配置される
ことを特徴とする顕微鏡。
【請求項７】
請求項１乃至請求項６のいずれか１項に記載の顕微鏡において、さらに、
前記対物レンズを光軸方向に動かす準焦機構と、
前記対物レンズの前記光軸方向の移動による前記対物光学系の射出瞳位置の変動を補償する補償光学系と、を備える
ことを特徴とする顕微鏡。
【請求項８】
請求項７に記載の顕微鏡において、
前記補償光学系は、少なくとも２つの反射部材を備え、
前記補償光学系は、前記準焦機構による前記対物レンズの移動量の半分だけ前記光軸方向へ移動するように構成される
ことを特徴とする顕微鏡。
【請求項９】
請求項１乃至請求項８のいずれか１項に記載の顕微鏡において、
前記対物光学系は、対物レンズの射出瞳位置を前記第１の本体部の外側に投影する
ことを特徴とする顕微鏡。
【請求項１０】
請求項２乃至請求項９のいずれか１項に記載の顕微鏡において、さらに、
前記対物レンズと向かい合わせに配置されたコンデンサレンズと、
前記接眼鏡筒に導かれる前記試料からの光を、前記試料から前記対物レンズへ入射した光と前記試料から前記コンデンサレンズへ入射した光の間で切り替える切り替え機構と、を備える
ことを特徴とする顕微鏡。
【発明の詳細な説明】
【技術分野】
【０００１】
本発明の開示は、顕微鏡に関する。
【背景技術】
【０００２】
顕微鏡の分野では、様々な機能の追加や切り替えが可能な拡張性に優れた顕微鏡が求められている。一般的に、顕微鏡の機能拡張は、対物レンズを含む対物光学系と対物光学系から出射した略平行光束を集光して像を形成する観察光学系との間に様々な光学ユニットを追加することで実現される。例えば、特許文献１には、新たな光学ユニットを既存のユニットに対して対物レンズの光軸方向に積層することで、機能を拡張する顕微鏡が記載されている。
【先行技術文献】
【特許文献】
【０００３】
【特許文献１】特開平１１−０７２７１５号公報
【発明の概要】
【発明が解決しようとする課題】
【０００４】
ところで、特許文献１のように光学ユニットを対物レンズの光軸に沿って積み上げて追加すると、顕微鏡が倒立顕微鏡である場合には、ステージの高さが高くなってしまう。また、顕微鏡が正立顕微鏡である場合には、接眼部の高さが高くなってしまう。
【０００５】
このようなステージの高さや接眼部の高さの変動は、利用者に作業時の姿勢の変更を強いることになり、顕微鏡の操作性を損なう可能性がある。また、利用者が対応可能な高さの変動には限界があるため、追加できる光学ユニットの数も制限されてしまう。
【０００６】
以上のような実情を踏まえ、本発明の一側面は、操作性と拡張性を両立した顕微鏡の技術を提供することを目的とする。
【課題を解決するための手段】
【０００７】
本発明の一側面に係る顕微鏡は、試料からの光を集光する対物光学系を収容する第１の本体部であって、前記試料からの光を前記対物光学系に含まれる対物レンズの光軸の方向とは異なる方向に出射する第１の本体部と、前記第１の本体部から出射した前記試料からの光を集光し前記試料の像を形成する観察光学系を収容する第２の本体部であって、前記第１の本体部と前記第２の本体部の間に光学ユニットを着脱自在に取り付ける第２の本体部と、を備える。
【発明の効果】
【０００８】
本発明の一側面によれば、操作性と拡張性を両立した顕微鏡の技術を提供することができる。
【図面の簡単な説明】
【０００９】
【図１】第１の実施形態に係る顕微鏡の構成を例示した図である。
【図２】第１の実施形態に係る顕微鏡の変形例の構成を例示した図である。
【図３】第１の実施形態に係る顕微鏡の別の変形例の構成を例示した図である。
【図４】第１の実施形態に係る顕微鏡の更に別の変形例の構成を例示した図である。
【図５】第２の実施形態に係る顕微鏡の構成を例示した図である。
【図６】第２の実施形態に係る顕微鏡の構成を例示した図であり、マニピュレータを取り付けられた様子を示した図である。
【図７】接眼鏡筒を備える従来の倒立顕微鏡の構成を例示した図である。
【図８】第２の実施形態に係る顕微鏡の変形例の構成を例示した図である。
【図９】第３の実施形態に係る顕微鏡の構成を例示した図である。
【図１０】光学ユニットの配置の一例を示した図である。
【図１１】光学ユニットの配置の別の一例を示した図である。
【発明を実施するための形態】
【００１０】
［第１の実施形態］
図１は、本実施形態に係る顕微鏡１００の構成を例示した図である。顕微鏡１００は、ステージ１の下方から試料を観察する倒立顕微鏡である。顕微鏡１００は、顕微鏡本体部１０と顕微鏡本体部２０とカメラユニット３０を備え、顕微鏡本体部１０と顕微鏡本体部２０の間に光学ユニットを追加することで機能拡張が可能な顕微鏡である。
【００１１】
顕微鏡１００の第１の本体部である顕微鏡本体部１０と顕微鏡１００の第２の本体部である顕微鏡本体部２０は、螺子、マグネット、その他の係合構造によって、互いに着脱自在に構成されている。顕微鏡本体部１０と顕微鏡本体部２０は、設置面１０１上に配置され、水平方向に並べられている。
【００１２】
顕微鏡本体部１０には、光ファイバー４３を介して入射する光源ユニット４０からの光をステージ１に置載された試料に照射する照明光学系（コンデンサレンズ７、ミラー８、レンズ９）と、試料からの光を集光する対物光学系Ｓ１が収容されている。光源ユニット４０には、光源４１とコレクタレンズ４２が設けられていて、光源４１は、例えば、ハロゲンランプ、水銀ランプなどである。
【００１３】
対物光学系Ｓ１は、レボルバ２に装着された複数の対物レンズ（対物レンズ３ａ、対物レンズ３ｂ）と、試料からの光を対物レンズ３ａの光軸の方向とは異なる方向に偏向するミラー４と、結像レンズ５と、レンズ６を備えている。ミラー４は、例えば、対物レンズ３ａからの光を９０度偏向するように、対物レンズ３ａの光軸上に配置されている。レンズ６は、結像レンズ５によって形成される試料の中間像位置からの光を略平行光束に変換して、顕微鏡本体部１０（対物光学系Ｓ１）から顕微鏡本体部２０に向けて出射する。
【００１４】
対物光学系Ｓ１は、対物レンズ３ａの射出瞳位置を顕微鏡本体部１０の外側に投影するように構成されることが望ましい。光学ユニットを追加した際の光学ユニットでのケラレが抑制され、光学ユニット内のレンズの径を小さくすることができるからである。また、顕微鏡１００では、対物レンズ３ａの射出瞳位置と共役な位置に様々な光学素子を配置することで様々な追加機能が実現される。対物レンズ３ａの射出瞳位置が顕微鏡本体部１０の外側に投影されることで、対物レンズ３ａの射出瞳位置が投影された位置Ｐ（以降、対物光学系Ｓ１の射出瞳位置と記す）に光学ユニットを追加することができる。このため、光学ユニットの追加により拡張することができる機能をさらに広げることができる。
【００１５】
顕微鏡本体部２０には、顕微鏡本体部１０（対物光学系Ｓ１）から出射した試料からの光を集光し、試料の像をカメラユニット３０に設けられたイメージセンサ３１上に形成する観察光学系Ｓ２が収容されている。イメージセンサ３１は、例えば、ＣＣＤ（Charge-Coupled Device）イメージセンサ、ＣＭＯＳ（Complementary Metal Oxide Semiconductor）イメージセンサなどである。
【００１６】
観察光学系Ｓ２は、レンズ２１とミラー２２を含んでいる。レンズ２１が対物光学系Ｓ１から略平行光束として出射した試料からの光を集光し、ミラー２２がカメラユニット３０に向けて光を偏向することで、カメラユニット３０のイメージセンサ３１上に試料の像が形成される。
【００１７】
顕微鏡１００では、照明光学系を含む顕微鏡本体部１０は、光源ユニット４０から出射した光で試料Ｓを照明する。さらに、対物光学系Ｓ１を含む顕微鏡本体部１０は、光源ユニット４０からの光で照明された試料からの光を略平行光束に変換し対物レンズ３ａの光軸の方向とは異なる方向に出射する。その後、顕微鏡本体部２０が顕微鏡本体部１０からの略平行光束を集光し試料の像を形成し、カメラユニット３０が顕微鏡本体部２０により形成された試料の像を取得して画像データを生成する。
【００１８】
顕微鏡本体部１０と顕微鏡本体部２０は、それぞれ、顕微鏡本体部１０と顕微鏡本体部２０の間に光学ユニットを着脱自在に取り付けるように構成されている。光学ユニットを取り付ける構造は、特に限定されないが、例えば、螺子、マグネット、その他の係合構造である。
【００１９】
図１には、顕微鏡本体部１０と顕微鏡本体部２０の間に、顕微鏡１００の機能を拡張するための複数の光学ユニット（オートフォーカス（ＡＦ）ユニット５０、光ファイバー６３を介して光源ユニット６０に接続された投光管ユニット７０、及び、変倍ユニット８０）が取り付けられている様子が示されている。なお、図１では、複数の光学ユニットは、いずれも顕微鏡本体部１０が置載された設置面１０１に配置されている。
【００２０】
ＡＦユニット５０は、顕微鏡１００にオートフォーカス機能を提供する光学ユニットである。ＡＦユニット５０は、ダイクロイックミラー５１、オートフォーカス用の光（以降、ＡＦ光）を出射するＬＥＤ光源５２、ハーフミラー５３、レンズ５４、試料で反射したＡＦ光を検出する光検出器５５を備えている。ＡＦユニット５０は、光検出器５５で検出したＡＦ光に基づいて合焦状態を判定することができる。このため、顕微鏡１００は、ＡＦユニット５０の判定結果に応じてステージ１（試料）と対物レンズ３ａの間の相対距離を調整することで、合焦状態を検出することができる。
【００２１】
投光管ユニット７０は、光源ユニット６０と共に使用することで、対物光学系Ｓ１側から試料を照明する機能を提供する光学ユニットである。投光管ユニット７０は、ビームスプリッタ７１とレンズ７２を備えている。ビームスプリッタ７１は、例えば、ハーフミラー、ダイクロイックミラーなどである。また、光源ユニット６０は、光源６１と、コレクタレンズ６２を備えている。光源６１は、例えば、ハロゲンランプ、水銀ランプなどである。
【００２２】
変倍ユニット８０は、イメージセンサ３１に投影される試料の像の倍率を変更する光学ユニットである。変倍ユニット８０は、光学倍率の異なるレンズ群８１とレンズ群８２を備えている。顕微鏡１００は、顕微鏡本体部１０と顕微鏡本体部２０の間の光路上に配置するレンズ群を変倍ユニット８０で切り替えることで、イメージセンサ３１上に形成される試料の光学像の倍率を変更することができる。
【００２３】
顕微鏡１００では、顕微鏡本体部１０と顕微鏡本体部２０の間に光学ユニットを取り付けることで、顕微鏡１００の機能を容易に拡張することができる。また、顕微鏡１００では、顕微鏡本体部１０から出射する試料からの光は対物レンズ３ａの光軸と直交する方向、即ち、水平方向を向いている。このため、顕微鏡本体部１０と顕微鏡本体部２０が水平方向に並んでいる。複数の光学ユニットも、顕微鏡本体部１０と顕微鏡本体部２０の間に水平方向に並べて配置される。従って、機能拡張のため光学ユニットが追加された場合であってもステージ１の高さは維持される。つまり、機能追加に起因するステージ１の高さの変化を防止することができる。さらに、ステージ１の高さが変化しないため、垂直方向に光学ユニットをスタックする従来の構成に比べてより多くの光学ユニットを追加し得る。このため、従来の顕微鏡以上の拡張性を実現することができる。
【００２４】
以上のように、顕微鏡１００によれば、操作性と拡張性を両立することが可能であり、また、従来の顕微鏡以上の拡張性を実現することができる。
【００２５】
なお、試料からの光が顕微鏡本体部１０から水平方向に出射する図１に示す構成は、光学ユニットが水平方向に並んだ顕微鏡本体部１０と顕微鏡本体部２０の間に追加される点で望ましい。水平方向に並んだ顕微鏡本体部１０と顕微鏡本体部２０の間に光学ユニットが追加されることで、ステージ１の高さの変化が生じないからである。しかしながら、試料からの光が顕微鏡本体部１０から出射される方向は水平方向に限らない。ただし、試料からの光が対物レンズ３ａの光軸と同じ方向に出射される構成は、光学ユニットの追加によりステージ１の高さが変化するため、望ましくない。従って、試料からの光が顕微鏡本体部１０から出射される方向は、対物レンズ３ａの光軸の方向とは異なる方向であればよい。
【００２６】
図２は、顕微鏡１００の変形例の構成を例示した図である。図１では、鏡柱１０ａの前方にステージ１を有する顕微鏡本体部１０の後方に顕微鏡本体部２０を備える顕微鏡１００を例示したが、図２に示すように、顕微鏡本体部１０の側方に顕微鏡本体部２０が設けられてもよい。顕微鏡２００でも、光学ユニットを追加してもステージ１の高さは維持されるため、顕微鏡１００と同様に、操作性と拡張性を両立することができる。
【００２７】
図３は、顕微鏡１００の別の変形例の構成を例示した図である。図１では、複数の対物レンズが装着されたレボルバ２を有する顕微鏡１００を例示したが、図３に示すように、対物レンズ３ｃは一本のみ設けられてもよい。なお、顕微鏡３００が有する対物レンズ３ｃは、例えば、低倍で高い開口数（ＮＡ）を有する対物レンズであってもよい。
【００２８】
図４は、顕微鏡１００の更に別の変形例の構成を例示した図である。図４に示す顕微鏡４００は、対物レンズ３ａ及び対物レンズ３ｂの代わりに対物レンズ３ｃを備える点、対物レンズ３ｃを光軸方向に動かす準焦機構４１０を備える点、補償光学系４２０を備える点、対物光学系Ｓ１の代わりに対物光学系Ｓ３を備える点が、顕微鏡１００とは異なる。
【００２９】
準焦機構４１０は、対物レンズ３ｃを結像レンズ５とともに動かすことで、対物レンズ３ｃと結像レンズ５の位置関係を変化させることなく、ステージ１（試料）と対物レンズ３ｃの間の相対距離を変化させる。準焦機構４１０は、例えば、ＡＦユニット５０からの指示に応じて動作してもよい。
【００３０】
補償光学系４２０は、対物レンズ３ｃの光軸方向の移動による対物光学系Ｓ１の射出瞳位置Ｐの変動を補償する光学系である。顕微鏡４００では、対物レンズ３ｃの射出瞳位置と共役な位置（例えば、対物光学系Ｓ１の射出瞳位置Ｐ）に様々な光学素子を配置することで様々な追加機能が実現されるが、準焦機構により対物レンズ３ｃが光軸方向に移動すると、射出瞳位置Ｐも変化してしまう。補償光学系４２０はこれを防止するためのものであり、例えば、図４に示すように、ミラー４２１とミラー４２２を備え、準焦機構４１０による対物レンズ３ｃの移動量の半分だけ光軸方向へ移動するように構成される。対物光学系Ｓ３は、ミラー４２１とミラー４２２を含む点が、対物光学系Ｓ１とは異なる。なお、補償光学系４２０は、少なくとも２つの反射部材を備えてればよく、反射部材はミラーに限らない。
【００３１】
顕微鏡４００では、補償光学系４２０が準焦機構４１０に応じて動作することで、対物レンズ３ｃから顕微鏡本体部１０の射出面４１０ａまでの光路長が対物レンズ３ｃの位置によらず維持される。このため、顕微鏡本体部１０の外側に形成される射出瞳位置Ｐを一定の位置に維持することができる。顕微鏡４００でも、光学ユニットを追加してもステージ１の高さは維持されるため、顕微鏡１００と同様に、操作性と拡張性を両立することができる。さらに、射出瞳位置Ｐが一定の位置に維持されるため、光学ユニットにより拡張される機能をより確実に機能させることができる。
【００３２】
［第２の実施形態］
図５及び図６は、本実施形態に係る顕微鏡５００の構成を例示した図である。顕微鏡５００は、利用者が試料を目視で観察するために、顕微鏡本体部５１０と顕微鏡本体部５１０に装着された接眼鏡筒５２０とを備える点、ＡＦユニット５０が省略される点が、顕微鏡１００とは異なる。また、顕微鏡５００は、図６に示すように、マニピュレータ６１０とマニピュレータ６１０の操作部６１１を備えても良い。
【００３３】
顕微鏡本体部５１０には、顕微鏡本体部１０から出射した試料からの光を集光し試料の像を形成する観察光学系Ｓ４が収容されている。なお、顕微鏡５００では、顕微鏡本体部２０、顕微鏡本体部５１０がそれぞれ第２の本体部であってもよく、顕微鏡本体部２０と顕微鏡本体部５１０のまとまりが第２の本体部であってもよい。
【００３４】
観察光学系Ｓ４は、ハーフミラー５１１、レンズ５１２、ミラー５１３、レンズ５１４、レンズ５１５を含んでいる。ハーフミラー５１１は、対物光学系Ｓ１からの光の一部を接眼鏡筒５２０へ、残りをカメラユニット３０へ導く。レンズ５１２は、ハーフミラー５１１を反射した光を集光し像を形成する。ミラー５１３及びレンズ５１４は、レンズ５１２が形成した像を接眼鏡筒５２０へリレーするリレー光学系である。接眼鏡筒５２０へリレーされた試料の像は、接眼鏡筒５２０が有する接眼レンズによって顕微鏡５００の利用者の眼へ投影される。
【００３５】
顕微鏡５００では、顕微鏡本体部５１０は、ステージ１の下方から取り込まれ顕微鏡本体部１０から出射した光を顕微鏡本体部１０の後方で顕微鏡本体部１０の上方に導き、顕微鏡本体部１０の前方に向けられた接眼鏡筒５２０へ入射させるように構成されている。
【００３６】
図７は、接眼鏡筒７３０を備える従来の倒立顕微鏡７００の構成を例示した図である。顕微鏡５００と顕微鏡７００を比較すると、顕微鏡本体部７１０が顕微鏡本体部７２０に積層された顕微鏡７００では、顕微鏡本体部７２０がステージ１前方でステージ１の下方から上方へ延長され、接眼鏡筒７３０がその顕微鏡本体部７２０の先端に設けられている。この構成では、接眼鏡筒７３０までの光路長を短くすることができるが、接眼鏡筒７３０を覗き込む位置に立っている利用者がステージ１上の試料を直接確認する際には、顕微鏡本体部７２０が視界を遮ってしまう。これに対して、顕微鏡５００には、接眼鏡筒５２０を覗き込む顕微鏡５００の利用者が立つ位置からステージ１までの空間を遮るものが存在しない。従って、ステージ１上の試料を直接確認する際の利用者の視界が十分に確保される。また、作業空間であるステージ１上へのアクセスも容易である。
【００３７】
従って、顕微鏡５００によれば、ステージ１へのアクセスの容易さと利用者の視界の両方を犠牲にすることなく、接眼鏡筒５２０を介して試料を観察することができる。また、操作性と拡張性を両立することが可能であり、従来の顕微鏡以上の拡張性を実現することができる点は、顕微鏡１００と同様である。
【００３８】
接眼鏡筒５２０を備える顕微鏡５００では、接眼鏡筒が存在する側を前側と定義すると、第２の本体部である顕微鏡本体部２０及び顕微鏡本体部５１０は、図５及び図６に示すように顕微鏡本体部１０の後方、又は、顕微鏡本体部１０の側方に配置されることが望ましく、機能拡張のために取り付けられる光学ユニットも同様に、顕微鏡本体部１０の後方、又は、顕微鏡本体部１０の側方に配置されることが望ましい。このような配置では、第２の本体部及び光学ユニットの存在が、接眼鏡筒５２０を覗くために顕微鏡本体部１０の前方に立つ利用者の邪魔にならないからである。
【００３９】
図８は、顕微鏡５００の変形例の構成を例示した図である。図８に示す顕微鏡６００は、光路に対して挿脱自在に設けられた複数のミラー（ミラー６０１、ミラー６０２）を備える点が、顕微鏡５００とは異なる。ミラー６０１及びミラー６０２が光路に挿入されることで、試料から対物レンズ３ａと向かい合わせに配置されたコンデンサレンズ７へ入射した光が、接眼鏡筒５２０に導かれる。即ち、ミラー６０１及びミラー６０２は、接眼鏡筒５２０に導かれる試料からの光を、試料から対物レンズ３ａへ入射した光と試料からコンデンサレンズ７へ入射した光の間で切り替える光学素子である。
【００４０】
より詳細には、ミラー６０１が、試料からの光が略平行光束であるコンデンサレンズ７とレンズ９の間の光路上に挿入し、ミラー６０２を、接眼鏡筒に像をリレーするリレー光学系を構成するレンズ５１５とレンズ５１６の間に挿入する。これにより、顕微鏡６００を、試料を上方から観察する正立顕微鏡として機能させることができる。
【００４１】
顕微鏡６００によれば、接眼鏡筒５２０を介した目視観察の方向を容易に切り替えることができる。また、ステージ１へのアクセスの容易さと利用者の視界の両方を犠牲にすることなく、接眼鏡筒５２０を介して試料を観察することができる点、操作性と拡張性を両立することができる点、従来の顕微鏡以上の拡張性を実現することができる点は、顕微鏡５００と同様である。
【００４２】
［第３の実施形態］
図９は、本実施形態に係る顕微鏡８００の構成を例示した図である。顕微鏡８００は、ステージ１の上方から試料を観察する正立顕微鏡である。顕微鏡８００は、正立顕微鏡として構成されている点、より詳細には、顕微鏡本体部１０の代わりに顕微鏡本体部８１０を備え、顕微鏡本体部５１０及び接眼鏡筒５２０の代わりに顕微鏡本体部８２０及び接眼鏡筒８３０を備える点が、顕微鏡５００とは異なる。顕微鏡８００は、顕微鏡本体部８１０と顕微鏡本体部８２０の間に光学ユニットを追加することで機能拡張が可能である。
【００４３】
顕微鏡本体部８１０は、ステージ１の下方に照明光学系を備え、ステージ１の上方に対物光学系Ｓ１を備える点が、顕微鏡本体部１０とは異なる。顕微鏡本体部８２０及び接眼鏡筒８３０は、顕微鏡本体部５１０及び接眼鏡筒５２０と同様に、目視観察のための構成である。顕微鏡本体部８２０には、顕微鏡本体部５１０と同じく、観察光学系Ｓ４が設けられている。
【００４４】
顕微鏡８００によっても、顕微鏡５００と同様に、ステージ１へのアクセスの容易さと利用者の視界の両方を犠牲にすることなく、顕微鏡本体部８２０を介して試料を観察することができる。また、操作性と拡張性を両立することが可能であり、従来の顕微鏡以上の拡張性を実現することができる点も同様である。
【００４５】
上述した実施形態は、発明の理解を容易にするための具体例を示したものであり、本発明の実施形態はこれらに限定されるものではない。顕微鏡は、特許請求の範囲に記載された発明を逸脱しない範囲において、さまざまな変形、変更が可能である。
【００４６】
図１０及び図１１は、レボルバ９１１とレンズ９１２を含む第１の本体部９１０とレンズ９２１を含む第２の本体部９２０の間に複数の光学ユニットを取り付けるときの光学ユニットの配置を例示した図である。いずれもの図も光学ユニットを上方から見た様子を示している。
【００４７】
第１の本体部９１０と第２の本体部９２０の間に取り付けられる複数の光学ユニット（ＡＦユニット９３０、光源ユニット９４０、光源ユニット９５０）は、図１０に示すように配置されてもよい。つまり、各光学ユニットに含まれる光路分岐部材（ダイクロイックミラー９３１、ビームスプリッタ９４１、ビームスプリッタ９５１）の法線方向が隣接する光学ユニットに含まれる光路分岐部材の法線方向と異なるように、望ましくは、法線方向が９０度異なるように、配置されてもよい。
【００４８】
光路分岐部材を図１０に示すように互い違いに配置することで、隣接する光学ユニット内の光路分岐部材で生じる光線のシフト方向が反対方向になり、光線のシフトが相殺される。このため、第１の本体部９１０の光軸と第２の本体部９２０の光軸の間のずれを小さくすることができる。また、光路分岐部材が含まれる部分が突出した形状を有するように光学ユニットの筐体を形成することで、第１の本体部９１０と第２の本体部９２０の間の空間を効率的に利用することができる。このため、第１の本体部９１０と第２の本体部９２０の間の距離を過度に伸ばすことなく、より多くの光学ユニットを追加することが可能となる。従って、光学ユニットでのケラレを抑制することができる。
【００４９】
なお、ＡＦユニット９３０には、ダイクロイックミラー９３１、ＬＥＤ光源９３２、レンズ９３３、光検出器９３４、光検出器９３５が設けられている。光源ユニット９４０には、ビームスプリッタ９４１、図示しない光源に接続された光ファイバー９４２及び光ファイバー９４３、ミラー９４４、ダイクロイックミラー９４５、レンズ９４６が設けられている。光源ユニット９５０には、ビームスプリッタ９５１、図示しない光源に接続された光ファイバー９５２、レンズ９５３が設けられている。
【００５０】
また、顕微鏡本体部９１０と顕微鏡本体部９２０の間に取り付けられる複数の光学ユニット（ＡＦユニット９６０、光源ユニット９７０、光源ユニット９８０）は、図１１に示すように配置されてもよい。つまり、各光学ユニットに含まれる光路分岐部材（ダイクロイックミラー９６１、ビームスプリッタ９７１、ビームスプリッタ９８１）の法線方向が同じ方向を向くように配置されても良い。
【００５１】
なお、ＡＦユニット９６０には、ダイクロイックミラー９６１、ＬＥＤ光源９６２、レンズ９６３、光検出器９６４が設けられている。光源ユニット９７０には、ビームスプリッタ９７１、図示しない光源に接続された光ファイバー９７２、レンズ９７３が設けられている。光源ユニット９８０には、ビームスプリッタ９８１、図示しない光源に接続された光ファイバー９８２、レンズ９８３が設けられている。
【００５２】
また、第１の本体部と第２の本体部に追加される光学ユニットは、上述した光学ユニットに限らない。例えば、瞳を観察する機能を提供する光学ユニットが追加されてもよく、また、光刺激を与えるためのレーザユニットが追加されてもよい。
【００５３】
また、第１の本体部と第２の本体部の間での入射光、出射光が略平行光束となるよう各本体部の光学系が構成されていてもよい。追加する光学ユニットへの入射光、光学ユニットからの出射光が平行光束となるので、光路分岐部材で発生する収差を少なくできる。また、追加する光学ユニットの順番等の自由度を大きくすることができる。
【符号の説明】
【００５４】
１・・・ステージ、２、９１１・・・レボルバ、３ａ、３ｂ、３ｃ・・・対物レンズ、４、８、２２、４２１、４２２、５１３、６０１、６０２、９４４・・・ミラー、５・・・結像レンズ、６、９、２１、５４、７２、５１２、５１４、５１５、９１２、９２１、９３３、９４６、９５３、９６３、９７３、９８３・・・レンズ、７・・・コンデンサレンズ、１０、２０、５１０、７１０、７２０、８１０、８２０・・・顕微鏡本体部、３０・・・カメラユニット、３１・・・イメージセンサ、４０、６０、９４０、９５０、９７０、９８０・・・光源ユニット、４１、６１・・・光源、４２、６２・・・コレクタレンズ、４３、６３、９４２、９４３、９５２、９７２、９８２・・・光ファイバー、５０、９３０、９６０・・・ＡＦユニット、５１、９３１、９４５、９６１・・・ダイクロイックミラー、５２、９３２、９６２・・・ＬＥＤ光源、５３、５１１・・・ハーフミラー、５５、９３４、９３５、９６４・・・光検出器、７０・・・投光管ユニット、７１、９４１、９５１、９７１、９８１・・・ビームスプリッタ、８０・・・変倍ユニット、８１、８２・・・レンズ群、１００、２００、３００、４００、５００、６００、７００、８００・・・顕微鏡、１０１・・・設置面、４１０・・・準焦機構、４２０・・・補償光学系、５２０、７３０、８３０・・・接眼鏡筒、６１０・・・マニピュレータ、６１１・・・操作部、９１０・・・第１の本体部、９２０・・・第２の本体部、Ｓ１、Ｓ３・・・対物光学系、Ｓ２、Ｓ４・・・観察光学系、Ｐ・・・射出瞳位置
【図１】
2018005009.tif 000003
【図２】
2018005009.tif 000004
【図３】
2018005009.tif 000005
【図４】
2018005009.tif 000006
【図５】
2018005009.tif 000007
【図６】
2018005009.tif 000008
【図７】
2018005009.tif 000009
【図８】
2018005009.tif 000010
【図９】
2018005009.tif 000011
【図１０】
2018005009.tif 000012
【図１１】
2018005009.tif 000013